(57)【要約】  【課題】  建設工事の電子成果品を容易に納品できるシステムを提供する。  【解決手段】  第１の情報管理装置１２は、建設工事の受発注者間で文書ファイルをやり取りするための情報共有サービスを提供し、第２の情報管理装置１４は、第１の情報管理装置１２に記録されている文書ファイルをミラーリングする。そして、建設工事の受注者が建設工事の電子成果品を納品するよう指示すると、第２の情報管理装置１４は、ミラーリングした文書ファイルを用いて、保管管理サービスを開始する。【選択図】図１
2009015625.tif 000002
【特許請求の範囲】
【請求項１】
建設工事の発注者及び受注者の間で共有される情報を記録し、記録された情報を発注者の端末及び受注者の端末に提供する第１のデータベース装置と、
前記第１のデータベース装置に記録されている情報をミラーリングする第２のデータベース装置と
を備え、
前記第２のデータベース装置は、前記建設工事が完了した後の既定のタイミングから、保管管理システムの少なくとも一部として機能する
工事情報管理システム。
【請求項２】
前記第２のデータベース装置は、
前記建設工事が完了したことを条件として、この第２のデータベース装置に記録されているこの建設工事に関する情報のうち、予め指定された情報を削除する削除手段
を有する
請求項１に記載の工事情報管理システム。
【請求項３】
前記第２のデータベース装置は、
前記建設工事が完了したことを条件として、この第２のデータベース装置に記録されている情報に対する前記発注者又は前記受注者のアクセス権限を変更する権限変更手段
を有する
請求項１に記載の工事情報管理システム。
【請求項４】
前記第２のデータベース装置は、
前記建設工事が完了したことを条件として、この建設工事に関する情報の保管期間の監視を開始し、予め指定された保管期間が経過した情報をこの第２のデータベース装置から削除する保管期間管理手段
を有する
請求項１に記載の工事情報管理システム。
【請求項５】
前記第１のデータベース装置は、
建設工事における工事箇所の端点の座標、及び、この工事箇所の内部に存在する代表点の座標の入力を受け付ける座標入力手段
を有し、
前記第２のデータベース装置は、
前記座標入力手段により入力された代表点の座標に基づいて、建設工事の情報に対する検索を行う検索手段
を有する
請求項１に記載の工事情報管理システム。
【請求項６】
建設工事を発注する発注者の発注者端末、及び、この建設工事を受注する受注者の受注者端末と通信を行う情報管理装置であって、
前記発注者端末又は前記受注者端末から受信した情報を記録する工事情報記録手段と、
前記建設工事が完了したことを条件として、前記工事情報記録手段により記録されている情報に対するアクセス権限を変更する権限変更手段と
を有する工事情報管理装置。
【請求項７】
第１のデータベースを用いて、建設工事の発注者及び受注者の間での情報共有サービスを提供する機能と、
前記第１のデータベースとは物理的又は論理的に区別される第２のデータベースに対して、前記第１のデータベースに記録されている情報を複製する機能と、
前記第２のデータベースを用いて、建設工事に関する情報検索サービスを前記発注者に提供する機能と
を実現するプログラム。
【発明の詳細な説明】
【技術分野】
【０００１】
本発明は、建設工事に関する情報を管理する工事情報管理システムに関する。
【背景技術】
【０００２】
例えば、非特許文献１には、建設工事に関する情報を電子文書化することが開示されている。
【非特許文献１】http://www.mlit.go.jp/tec/it/cals/index.html
【発明の開示】
【発明が解決しようとする課題】
【０００３】
本発明は、上述した背景からなされたものであり、建設工事の受発注者間でやりとりされた情報の少なくとも一部を電子成果品として納品する工事情報管理システムを提供することを目的とする。
【課題を解決するための手段】
【０００４】
上記目的を達成するために、本発明に係る工事情報管理システムは、建設工事の発注者及び受注者の間で共有される情報を記録し、記録された情報を発注者の端末及び受注者の端末に提供する第１のデータベース装置と、前記第１のデータベース装置に記録されている情報をミラーリングする第２のデータベース装置とを備え、前記第２のデータベース装置は、前記建設工事が完了した後の既定のタイミングから、保管管理システムの少なくとも一部として機能する。
【０００５】
好適には、前記第２のデータベース装置は、前記建設工事が完了したことを条件として、この第２のデータベース装置に記録されているこの建設工事に関する情報のうち、予め指定された情報を削除する削除手段を有する。
好適には、前記第２のデータベース装置は、前記建設工事が完了したことを条件として、この第２のデータベース装置に記録されている情報に対する前記発注者又は前記受注者のアクセス権限を変更する権限変更手段を有する。
好適には、前記第２のデータベース装置は、前記建設工事が完了したことを条件として、この建設工事に関する情報の保管期間の監視を開始し、予め指定された保管期間が経過した情報をこの第２のデータベース装置から削除する保管期間管理手段を有する。
好適には、前記第１のデータベース装置は、建設工事における工事箇所の端点の座標、及び、この工事箇所の内部に存在する代表点の座標の入力を受け付ける座標入力手段を有し、前記第２のデータベース装置は、前記座標入力手段により入力された代表点の座標に基づいて、建設工事の情報に対する検索を行う検索手段を有する。
【０００６】
また、本発明に係る情報管理装置は、建設工事を発注する発注者の発注者端末、及び、この建設工事を受注する受注者の受注者端末と通信を行う情報管理装置であって、前記発注者端末又は前記受注者端末から受信した情報を記録する工事情報記録手段と、前記建設工事が完了したことを条件として、前記工事情報記録手段により記録されている情報に対するアクセス権限を変更する権限変更手段とを有する。
【０００７】
また、本発明に係るプログラムは、第１のデータベースを用いて、建設工事の発注者及び受注者の間での情報共有サービスを提供する機能と、前記第１のデータベースとは物理的又は論理的に区別される第２のデータベースに対して、前記第１のデータベースに記録されている情報を複製する機能と、前記第２のデータベースを用いて、建設工事に関する情報検索サービスを前記発注者に提供する機能とを実現する。
【発明の効果】
【０００８】
本発明の工事情報管理システムによれば、建設工事の電子成果品を容易に納品することができる。
【発明を実施するための最良の形態】
【０００９】
まず、本発明が適用される工事情報管理システム１の全体構成を説明する。
図１は、工事情報管理システム１の全体構成を例示する図である。
図１に例示するように、工事情報管理システム１は、第１の情報管理装置１２及び第２の情報管理装置１４を備える。本例の第１の情報管理装置１２及び第２の情報管理装置１４は、本発明にかかる第１のデータベース装置及び第２のデータベース装置の一例である。
本例では、第１の情報管理装置１２は、発注者端末４０２及び受注者端末４０４とネットワークで接続されており、発注者端末４０２及び受注者端末４０４に対して、建設工事に関する情報をやり取りするための情報共有サービスを提供する。また、第２の情報管理装置１４は、第１の情報管理装置１２内の情報をミラーリングしており、建設工事が完了した後の既定のタイミングから、保管管理システムの少なくとも一部の機能を発注者端末４０４に提供する。ここで、既定のタイミングとは、例えば、建設工事の受注者により建設工事が完了した旨の入力が第１の情報管理装置１２に対して行われたタイミング、又は、建設工事に関する情報の電子納品を行う操作が受注者により行われたタイミングなどである。
発注者端末４０２は、建設工事の発注者が利用するコンピュータ端末であり、発注者の操作に応じて、建設工事に対する要求、受注者からの発議に対する承認又は変更要求、及び、受注者から納品された情報の管理などを行う。なお、発注者には、建設工事の工事担当だけでなく、受注者からの電子納品物を利用又は管理する者も含まれる。
受注者端末４０４は、建設工事の受注者が利用するコンピュータ端末であり、受注者の操作に応じて、建設工事に関する発議、及び、建設工事に関する情報の電子納品の依頼などを行う。なお、建設工事の元請け業者及び下請け業者は、発注者との関係において、共に建設工事を請け負ったものであり、受注者として総称される場合がある。
【００１０】
工事情報管理システム１をより具体的に説明すると、第１の情報管理装置１２は、受発注者間で共有される工事情報（建設工事に関する情報であり、建設業務に関する情報も含まれうる）を管理するサーバ機能と、受発注者間で共有される工事情報を記憶するデータベース機能とを有する単一のハードウェア装置である。なお、第１の情報管理装置１２のサーバ機能とデータベース機能とがそれぞれ別のハードウェア装置で実現されてもよい。
第１の情報管理装置１２は、建設工事を一意に識別する工事ＩＤ（工事識別情報）を用いて、発注者端末４０２から入力された情報、及び、受注者端末４０４から入力された情報を管理し、これらの情報を工事ＩＤに対応付けてデータベースに登録する。
また、第１の情報管理装置１２は、工事ＩＤに対応付けて、発注者端末４０２及び受注者端末４０４のアクセス権限を管理することにより、特定の建設工事に関する情報の共有を実現する。
【００１１】
第２の情報管理装置１４は、第１の情報管理装置１２に記録されている工事情報をミラーリング（すなわち、工事完了前の複数の時点で複製）し、ミラーリングした工事情報を用いて、発注者端末４０２に対して、検索機能などを提供する。第２の情報管理装置１４は、第１の情報管理装置１２のバックアップ系システムとして、第１の情報管理装置１２に障害が発生した場合にのみ、第１の情報管理装置１２の代わりに情報共有サービスを提供してもよいし、ロードバランサなどによる割振りに応じて、第１の情報管理装置１２と並行して、情報共有サービスを提供してもよい。
また、第２の情報管理装置１４は、さらに、保管管理システムとしての機能を有し、ミラーリングによって建設工事の施工中から蓄積していた工事情報を用いて、保管管理サービスを提供する。
【００１２】
［工事情報管理システムの機能モジュール］
図２は、工事情報管理システム１（図１）の機能モジュールを例示する図である。図２に例示される各機能モジュールは、第１の情報管理装置１２又は第２の情報管理装置１４によって実現される。
図２に例示するように、工事情報管理システム１は、情報共有モジュール５、権限管理モジュール６、保管管理モジュール７、サービス切替部８００、情報複製部８１０、第１のデータベース１２０、及び第２のデータベース１４０を有する。また、情報共有モジュール５には、情報管理部５００、座標入力部５１０、保管期間設定部５２０及び納品情報指定部５３０が含まれており、権限管理部６には、権限切替部６００及び権限管理部６１０が含まれており、保管管理モジュール７には、切替時削除部７００、保管期間管理部７１０及び検索部７２０が含まれている。
なお、本図の各機能モジュールは、ソフトウェア及びハードウェアの組合せによって実現される。また、本例では、情報共有モジュール５、サービス切替部８００、情報複製部８１０及び第１のデータベース１２０が第１の情報管理装置１２に設けられ、権限管理モジュール６、保管管理モジュール７及び第２のデータベース１４０が第２の情報管理装置１４に設けられている形態を具体例として説明するが、各機能モジュールの所在は本例に限定されるものではない。
【００１３】
情報共有モジュール５は、第１のデータベース１２０を用いて、建設工事の受発注者に対して情報共有サービスを提供する。より具体的には、情報共有モジュール５において、情報管理部５００は、発注者端末４０２又は受注者端末４０４から受信した工事情報を第１のデータベース１２０に登録し管理する。例えば、情報管理部５００は、発注者端末４０２又は受注者端末４０４が工事ＩＤを指定して工事に関する情報に対するアクセスを要求すると、権限管理モジュール６からの認証結果（新規作成、閲覧、編集及び消去などの制限）に応じて、要求されたフォルダ又はレコードに対するアクセスを発注者端末４０２又は受注者端末４０４に許可する。
【００１４】
座標入力部５１０は、建設工事における工事箇所の端点の座標、及び、この工事箇所に含まれる代表点の座標の入力を受け付ける。代表点とは、工事箇所の内部に存在する点であり、ユーザが任意に設定できる点である。工事箇所の端点のみでなく、代表点の座標も入力することにより、建設工事の工事箇所を地図などから容易に検索できるようになる。
保管期間設定部５２０は、発注者端末４０２又は受注者端末４０４からの指示に応じて、第１のデータベース１２０に記録される情報（すなわち、発注者端末４０２又は受注者端末４０４により登録された情報）に対して、保管期間を設定する。設定された保管期間は、保管期間管理部７１０により管理される。保管期間は、一旦設定された後であっても変更可能であることが望ましい。
納品情報指定部５３０は、発注者端末４０２又は受注者端末４０４からの指示に応じて、第１のデータベース１２０に記録される情報（すなわち、発注者端末４０２又は受注者端末４０４により登録された情報）の中から、電子納品すべき情報を指定する。なお、納品情報指定部５３０は、電子納品すべき情報を指定する代わりに、電子納品から除外すべき情報を指定してもよい。
【００１５】
権限管理モジュール６は、発注者又は受注者によって設定された権限管理情報に基づいて、認証を行い、認証結果に応じて、第１のデータベース１２０及び第２のデータベース１４０に対するアクセスを許可又は禁止する。より具体的には、権限切替部６００は、サービス切替部８００によるサービスの切替えに応じて、権限管理情報の切替えを行う。すなわち、権限切替部６００は、情報共有サービスが提供されているときに、図４（A）に例示する権限管理情報を適用すべきものとして選択し、保管管理サービスが提供されているときに、図４（B）に例示する権限管理情報（図４（B））を適用すべきものとして選択する。
権限管理部６１０は、権限管理部６１０により選択された権限管理情報（図４に例示する工事ＩＤ、ユーザＩＤ及びパスワード）に基づいて、第１のデータベース１２０及び第２のデータベース１４０に記憶された情報へのアクセスを許可又は禁止する。本例では、権限管理部６１０は、情報共有サービスが提供されているとき（すなわち、図４（A）の権限管理情報が選択されている場合）、受注者及び発注者に対して、情報共有サービスに必要な限度で第１のデータベース１２０に対するアクセスを許可し、保管管理サービスが提供されているとき（すなわち、図４（B）の権限管理情報が選択されている場合）、発注者のみに対して、保管管理に必要な限度で第２のデータベース１４０に対するアクセスのみを許可する。
【００１６】
保管管理モジュール７は、権限管理モジュール６による認証結果に応じて、第２のデータベース１４０を用いた保管管理サービスを提供する。保管管理サービスとは、例えば、国土交通省の要領及び基準に準拠するものである。より具体的には、切替時削除部７００は、サービス切替部８００により情報共有サービスから保管管理サービスに切り替えられたタイミングで、第２のデータベース１４０に登録された情報のうち、納品情報指定部５３０により電子納品物として指定された情報以外の情報（すなわち、電子納品から除外すべき情報）を削除する。
保管期間管理部７１０は、サービス切替部８００により情報共有サービスから保管管理サービスに切り替えられたタイミングから、保管期間のカウントを開始し、保管期間設定部５２０により設定された保管期間が経過した情報を順次削除していく。
検索部７２０は、第２のデータベース１４０に登録されている情報に対する検索サービスを提供する。例えば、検索部７２０は、座標入力部５１０により入力された代表点の座標に基づいて、この代表点に対応する建設工事の情報を検索し、検索結果を発注者端末４０２に提供する。
【００１７】
サービス切替部８００は、建設工事が完了した後の既定のタイミングで、工事情報管理システム１の機能（ただし、完了した建設工事の工事IDに対応する範囲のみ）を、情報共有サービスから保管管理サービスに切り替える。例えば、サービス切替部８００は、建設工事の受注者により工事IDを指定して建設工事が完了した旨の入力が第１の情報管理装置１２に対して行われた時、又は、工事IDを指定して電子納品を行う操作が受注者により行われた時に、情報共有モジュール５、権限管理モジュール６、保管管理モジュール７及び情報複製部８１０に対して、保管管理サービスに切り替えるよう指示する。
【００１８】
情報複製部８１０は、サービス切替部８００により情報共有サービスから保管管理サービスに切り替えられる前まで（すなわち、情報共有サービスが提供されている間）、第１のデータベース１２０に記録される情報を、第２のデータベース１４０に複製する。
第１のデータベース１２０は、第１の情報管理装置１２（図１）内に構成されたデータベースである。第２のデータベース１４０は、第２の情報管理装置１４（図１）内に構成されたデータベースである。
【００１９】
図３は、情報共有モジュール５により第１のデータベース１２０内で管理される情報を例示する図であり、図３（Ａ）は、受発注情報テーブルを例示し、図３（Ｂ）は、受発注情報テーブルで管理される打合せ簿フォルダを例示し、図３（Ｃ）は、情報共有モジュール５により参照される業務フローテーブルを例示する。
図３（Ａ）に例示するように、情報管理部５００は、発注者端末４０２又は受注者端末４０４からの指示に応じて、第１のデータベース１２０内に、複数の工事フォルダ（本例では、発注図フォルダ、打合せ簿フォルダ、及び完成図フォルダなど）を作成し、作成された工事フォルダを工事ＩＤに対応付けて管理する。発注図フォルダには、例えば、建造物の設計段階のＣＡＤ製図が登録され、打合せ簿フォルダには、例えば、発注者及び受注者の間の打合せで用いた文書ファイルなどが登録され、完成図フォルダには、例えば、建造物の完成後のＣＡＤ製図などが登録される。
【００２０】
図３（Ｂ）に例示するように、情報管理部５００は、発注者端末４０２又は受注者端末４０４からの指示に応じて、図３（Ａ）の打合せ簿フォルダの中に、複数の文書ファイル（本例では、発議ファイル１、承認ファイル１、及び発議ファイル２など）を作成し、作成された文書ファイルへの閲覧及び編集などを行う。例えば、受注者端末４０４は、情報管理部５００（図２）に対して指示を送り、資材の発議文などが含まれた発議ファイル２を作成し、打合せ簿フォルダに登録させる。発注者端末４０２は、この発議ファイル２にアクセスして、発議された建設資材の規格などを確認し、資材の承認を行う。
このように、情報管理部５００は、第１のデータベース１２０内にファイルを登録して受発注者間で共有させることにより、建設工事に関する情報の情報共有サービスを提供する。
【００２１】
また、情報共有モジュール５は、図３（Ｃ）に例示する業務フローテーブルを参照して、第１のデータベース１２０に登録されたファイルの回覧順序を決定する。この業務フローテーブルで規定された回覧順序に従ってファイルを発注者及び受注者に提供することにより、例えば、文書に対する承認処理を行うことができる。
【００２２】
図４は、権限管理モジュール６により管理されている権限管理情報（権限管理テーブル）を例示する図である。
図４（Ａ）に例示するように、権限管理モジュール６は、ユーザＩＤ及びパスワードが互いに対応付けられた権限管理テーブル（情報共有段階）を工事ＩＤに対応付けて記録している。情報共有サービスが提供されている期間において、発注者端末４０２又は受注者端末４０４が工事ＩＤを指定して、工事情報管理システム１へのログインを要求すると、権限管理部６１０は、この権限管理テーブルを参照して、発注者端末４０２又は受注者端末４０４のユーザを認証し、工事ＩＤに対応する工事フォルダへのアクセスを許可又は禁止する。
また、図４（Ｂ）に例示するように、保管管理段階の権限管理テーブルは、権限管理段階の権限管理テーブル（図４（Ａ））とは異なり、受注者に対するパスワードなどを含まない。これは、保管管理サービスでは、発注者のみがアクセス可能となり、受注者のアクセスが禁止されるからである。また、保管管理段階の権限管理テーブルは、権限管理段階の権限管理テーブルと比較して、工事情報へのアクセスが許可される発注者の範囲（職位）が異なる。
【００２３】
［全体動作］
図５は、工事情報管理システム１の全体動作（Ｓ１０）を説明するフローチャートである。
図５に示すように、ステップ１００（Ｓ１００）において、情報管理装置１２（図１）は、発注者端末４０２と受注者端末４０４との間で、建設工事の電子入札を実施し、建設工事の発注先が決定すると、この建設工事の工事ＩＤを生成する。
ステップ１１０（Ｓ１１０）において、情報管理装置１２（図１）の情報共有モジュール５（図２）は、発注者端末４０２又は受注者端末４０４からの要求に応じて、図３（Ａ）に例示する種々のフォルダを作成し、第１のデータベース１２０に登録する。
発注者端末４０２及び受注者端末４０４は、これらのフォルダに文書ファイルを登録し、閲覧及び編集を行うことで、互いに建設工事に関する情報を交換し共有する。例えば、座標入力部５１０は、図６（Ａ）に例示する代表点入力画面９００を受注者端末４０４に表示させて、この代表点入力画面９００で受注者が工事箇所の東端、西端、北端及び南端の座標、並びに、工事箇所に含まれる代表点の座標を入力すると、入力された座標群を工事ＩＤに対応付けて第１のデータベース１２０に登録する。なお、工事箇所の代表点の座標の他に、各ファイルの保管期間、及び、各ファイルの納品の要否なども、情報共有サービス中に、発注者又は受注者により第１のデータベース１２０に登録される。
ステップ１２０（Ｓ１２０）において、情報複製部８１０は、第１のデータベース１２０に登録されたデータ（文書ファイル等）を第２のデータベース１４０に複製する。なお、本フローチャートでは、説明の便宜上、Ｓ１１０の後にＳ１２０を配置したが、実際には、Ｓ１１０とＳ１２０とが互いに独立して並行して実行されてもよい。
【００２４】
ステップ１１０（Ｓ１１０）において、受注者は、受注した建設工事が完了して、電子納品すべき工事情報を第１のデータベース１２０に登録し終えると、納品を指示する操作を受注者端末４０４に対して行う。例えば、受注者は、図６に例示する電子納品画面９１０において、工事写真アップのボタン９１２又は完成図アップのボタン９１４などをクリックして、電子納品に必要なファイルに第１のデータベース１２０に登録し、必要なファイルを全て登録し終えた時点で、直接保管のボタン９１６をクリックする。この直接保管ボタン９１６のクリックが、納品指示操作であり、かつ、サービス切替えのトリガーである。
情報管理装置１２のサービス切替部８００は、受注者端末４０４から、納品指示を受信すると、他の機能モジュールに対して、この建設工事（工事ＩＤ）に関して保管管理サービスに切り替えるよう指示して、Ｓ１４０の処理に移行する。
なお、情報管理装置１２は、受注者端末４０４から納品指示を受信するまでは、Ｓ１１０の処理に戻って、情報共有サービスを継続する。
【００２５】
ステップ１４０（Ｓ１４０）において、保管期間管理部７１０は、保管期間のカウントを開始し、いずれかのファイルに設定された保管期間が経過すると、このファイルを第２のデータベース１４０から削除する。保管期間は、例えば、図８に例示するファイル表示画面９４０において、各ファイルに関連付けて表示され、権限を有する発注者がラジオボタン９４２の位置を変更すると、各ファイルの保管期間が変更される。
ステップ１５０（Ｓ１５０）において、権限切替部６００は、情報共有段階の権限管理テーブル（図４（Ａ））から、保管管理段階の権限管理テーブル（図４（Ｂ））に切り替える。これにより、権限管理モジュール６は、保管管理サービスを受け得る者（本例では、発注者）のみに対して、第２のデータベース１４０へのアクセスを許可するようになる。
【００２６】
ステップ１６０（Ｓ１６０）において、切替時削除部７００は、納品情報指定部５３０により電子納品物として指定されたファイル以外のファイル（工事ＩＤが一致するもののみ）を第２のデータベース１４０から削除する。
ステップ１７０（Ｓ１７０）において、保管管理モジュール７は、第２のデータベース１４０に登録されているファイルを用いて、発注者端末４０２に対して検索サービスなど（すなわち、保管管理サービス）を提供する。例えば、検索部７２０は、図７（Ａ）に例示する検索画面９２０を発注者端末４０２に表示させて、第２のデータベース１４０に登録されている情報に対して、発注者により入力された検索キーに応じた条件検索又は全文検索を行う。文書ファイルが検索された場合には、検索部７２０は、図８（Ａ）に例示するファイル表示画面９４０に、発見された文書ファイルのファイル名、文書の種類、登録された日付、及び、保管期間を表示する。ファイル名にはリンク情報が埋め込まれており、ファイル名をクリックすることにより、このファイルの表示画面が表示される。同様に、写真ファイルが検索された場合には、検索部７２０は、図８（Ｂ）に例示するファイル表示画面９４０に、発見された写真ファイルのサムネイル画像、登録された日付、及び、保管期間を発注者端末４０２に表示させる。
また、検索画面９２０において地図検索の検索ボタン９２２がクリックされると、検索部７２０は、図７（Ｂ）に例示する地図検索画面９３０を発注者端末４０２に表示させる。地図検索画面９３０には、地図９３２が表示され、地図９３２上には、工事箇所の代表点を示す代表点マーク９３４が表示される。検索部７２０は、いずれかの代表点マーク９３４がクリックされると、クリックされた代表点に対応する工事情報を第２のデータベース１４０から読み出して、発注者端末４０２に表示させる。
【００２７】
［変形例］
次に、上記実施形態の変形例を説明する。
上記実施形態では、第１のデータベース１２０が第１の情報管理装置１２内に設けられ、第２のデータベース１４０が第２の情報管理装置１４内に設けられた形態、すなわち、第１のデータベース１２０及び第２のデータベース１４０が物理的に分離された形態を説明したが、これに限定されるものではなく、例えば、第１のデータベース１２０及び第２のデータベース１４０が同一のハードウェア内で実現されてもよい。
この場合、第１のデータベース１２０及び第２のデータベース１４０は論理的に区別され、第２のデータベース１４０は、建設工事の施工時（すなわち、情報共有サービス提供時）から、第１のデータベース１２０に記録されている情報を複製する。
【図面の簡単な説明】
【００２８】
【図１】工事情報管理システム１の全体構成を例示する図である。
【図２】工事情報管理システム１（図１）の機能モジュールを例示する図である。
【図３】情報共有モジュール５により第１のデータベース１２０内で管理される情報を例示する図である。
【図４】権限管理モジュール６により管理されている権限管理情報（権限管理テーブル）を例示する図である。
【図５】工事情報管理システム１の全体動作（Ｓ１０）を説明するフローチャートである。
【図６】（Ａ）は、代表点入力画面９００を例示し、（Ｂ）は、電子納品画面９１０を例示する図である。
【図７】（Ａ）は、検索が面９２０を例示し、（Ｂ）は、地図検索画面９３０を例示する図である。
【図８】ファイル表示画面９４０を例示する図である。
【符号の説明】
【００２９】
１・・・工事情報管理システム
１２，１４・・・情報管理装置
１２０，１４０・・・データベース
５・・・情報共有モジュール
６・・・権限管理モジュール
７・・・保管管理モジュール
８００・・・サービス切替部
８１０・・・情報複製部
【図１】
2009015625.tif 000003
【図２】
2009015625.tif 000004
【図３】
2009015625.tif 000005
【図４】
2009015625.tif 000006
【図５】
2009015625.tif 000007
【図６】
2009015625.tif 000008
【図７】
2009015625.tif 000009
【図８】
2009015625.tif 000010